(57)【要約】  電力コネクタシステムは、シャーシに装着されたヘッダハウジングを有するヘッダコネクタを含む。ヘッダハウジングは、積重ね構成で並べて配列された複数のコンタクト部材（１６０）を含むヘッダ端子（１１４）を保持する。各コンタクト部材は、コンタクト部材の嵌合端部（２３８）にソケット（２３２）を画定する１対のばねビーム（２３０）を有する。コンタクト部材のソケットは、ヘッダ端子のタブソケット（２３４）を画定するように位置合わせされる。電力コネクタシステムは、タブ端子（１１６）を保持するプラグハウジングを有するプラグコネクタを含む。タブ端子は、嵌合端部およびケーブル端部を有する。嵌合端部は、タブ端子をヘッダ端子に電気的に接続するために嵌合する際にヘッダ端子のタブソケットに嵌合方向で受け取られる。【選択図】図４
2019523537.tif 000002
【特許請求の範囲】
【請求項１】
シャーシ（１５０）に装着されたヘッダハウジング（１２０）を有するヘッダコネクタ（１０２）であり、前記ヘッダハウジングは、積重ね構成で並べて配列された複数のコンタクト部材（１６０）を含むヘッダ端子（１１４）を保持し、各コンタクト部材は、前記コンタクト部材の嵌合端部（２３８）にソケット（２３２）を画定する１対のばねビーム（２３０）を有し、前記コンタクト部材の前記ソケットは、前記ヘッダ端子のタブソケット（２３４）を画定するように位置合わせされる、ヘッダコネクタ（１０２）と、
タブ端子（１１６）を保持するプラグハウジング（１３０）を有するプラグコネクタ（１０４）であり、前記タブ端子は、ケーブル端部（１３４）および嵌合端部（１３２）を有し、前記嵌合端部は、前記タブ端子を前記ヘッダ端子に電気的に接続するために嵌合する際に前記ヘッダ端子の前記タブソケットに嵌合方向で受け取られる、プラグコネクタ（１０４）と
を含む電力コネクタシステム（１００）。
【請求項２】
前記タブ端子（１１６）は、前記ケーブル端部（１３４）において電力ケーブル（１０６）に終端される金属の中実片であり、前記タブ端子は、第１の側面（２０４）および第２の側面（２０６）を有し、前記タブ端子は、前記嵌合端部（２００）に縁部（２１２）をさらに有し、前記縁部は、嵌合する際に前記ヘッダ端子（１１４）の前記タブソケット（２３２）に装着される、請求項１に記載の電力コネクタシステム（１００）。
【請求項３】
前記ヘッダ端子（１１４）は、前記タブ端子（１１６）との多数の接点を有する、請求項１に記載の電力コネクタシステム（１００）。
【請求項４】
前記プラグコネクタ（１０４）は、前記プラグハウジング（１３０）に接続されたレバー（１１８）を含み、前記レバーは前記ヘッダコネクタ（１０２）に係合し、前記レバーが作動されると前記プラグコネクタが前記ヘッダコネクタに対して移動されて、前記プラグコネクタと前記ヘッダコネクタとが嵌合および嵌合解除される、請求項１に記載の電力コネクタシステム（１００）。
【請求項５】
前記コンタクト部材（１６０）の前記ばねビーム（２３０）は、前記タブ端子（１１６）に嵌合されるとき前記タブ端子（１１６）に対して撓むことができる、請求項１に記載の電力コネクタシステム（１００）。
【請求項６】
前記コンタクト部材（１６０）の各々は、前記嵌合端部（２３８）にフォークコンタクト（２２３）を画定する、請求項１に記載の電力コネクタシステム（１００）。
【請求項７】
前記コンタクト部材（１６０）の前記嵌合端部（２３８）は、第１のコンタクト部材であり、前記コンタクト部材の各々は、第１の嵌合端部（２２２）の反対側の第２の嵌合端部（２２４）にフォークコンタクト（２２５）を画定し、前記第２の嵌合端部の前記フォークコンタクトは、バスバーを受け入れるように構成されたソケットを画定する、請求項６に記載の電力コネクタシステム（１００）。
【請求項８】
前記ヘッダコネクタ（１０２）は、前記ヘッダコネクタをタッチセーフにするためにヘッダタッチガード（１２４）を含み、前記プラグコネクタ（１０４）は、前記プラグコネクタをタッチセーフにするためにプラグタッチガード（１４４）を含む、請求項１に記載の電力コネクタシステム（１００）。
【発明の詳細な説明】
【技術分野】
【０００１】
本明細書の主題は、一般に、電力コネクタシステムのためのプラグコネクタに関する。電力端子は、高電力用途において構成要素間の電力接続、例えば、電気車両またはハイブリッド電気車両においてバッテリと、電気モータ、インバータ、充電器などのような他の構成要素との間の電力接続を行うために使用される。しかしながら、高電力要件により、電気コネクタは、一般に、回路の電流容量を増加させるために多くのコンタクトを収容する。接点が多いと、コネクタ嵌合力が高くなる。多くの接点をもつように設計された既知の電力端子は、形成および組み立てが複雑であり、それは、相当な工具設備投資を必要とし、電力端子を製造する全体コストを増加させることがある。さらに、多くの接点をもつように設計された既知の電力端子は、一般に、大きく、そのため、自動車用途などの特定用途で必要とされ得るフィンガプルーフおよびタッチセーフにすることが困難になる。
【発明の概要】
【発明が解決しようとする課題】
【０００２】
コンパクトで、工具で作りやすく、かつ／またはタッチセーフにすることができる高電力接続を有する電力コネクタシステムが依然として必要である。
【課題を解決するための手段】
【０００３】
この問題への解決策が、シャーシに装着されたヘッダハウジングを有するヘッダコネクタを含む本明細書で開示されるような電力コネクタシステムによって提供される。ヘッダハウジングは、積重ね構成で並べて配列された複数のコンタクト部材を含むヘッダ端子を保持する。各コンタクト部材は、コンタクト部材の嵌合端部にソケットを画定する１対のばねビームを有する。コンタクト部材のソケットは、ヘッダ端子のタブソケットを画定するように位置合わせされる。電力コネクタシステムは、タブ端子を保持するプラグハウジングを有するプラグコネクタを含む。タブ端子は、嵌合端部およびケーブル端部を有する。嵌合端部は、タブ端子をヘッダ端子に電気的に接続するために嵌合する際にヘッダ端子のタブソケットに嵌合方向で受け取られる。
【０００４】
本発明が、次に、添付図面を参照して例として説明される。
【図面の簡単な説明】
【０００５】
【図１】プラグコネクタおよびヘッダコネクタが組み立てられ嵌合した状態の例示的な実施形態に従って形成された電力コネクタシステムの斜視図である。
【図２】プラグコネクタおよびヘッダコネクタが嵌合解除状態の電力コネクタシステムの斜視図である。
【図３】コネクタのプラグ端子およびヘッダ端子を示す電力コネクタシステムの一部分の斜視図である。
【図４】プラグ端子およびヘッダ端子を示す電力コネクタシステムの一部分の斜視図である。
【図５】例示的な実施形態によるプラグコネクタの底面斜視図である。
【図６】プラグコネクタの断面図である。
【図７】例示的な実施形態によるヘッダコネクタの斜視図である。
【図８】ヘッダコネクタの断面図である。
【図９】ヘッダコネクタの上面図である。
【図１０】ヘッダ端子に結合するように用意された電力バスを示すヘッダコネクタの底面斜視図である。
【発明を実施するための形態】
【０００６】
図１は、組み立てられ嵌合した状態の、例示的な実施形態により形成された電力コネクタシステム１００の斜視図である。図２は、嵌合解除状態の電力コネクタシステム１００の斜視図である。電力コネクタシステム１００は、ヘッダコネクタ１０２と、ヘッダコネクタ１０２に嵌合するように構成されたプラグコネクタ１０４とを含む。例示的な実施形態において、電力コネクタシステム１００は、高電力回路の一部として様々な構成要素間で電力を伝送するために使用される高電力コネクタシステムである。特定の用途では、電力コネクタシステム１００は、電気車両またはハイブリッド電気車両などの車両のバッテリシステムなどのバッテリシステムであるが、しかしながら、電力コネクタシステム１００は、そのようなバッテリシステムに限定されるものではない。
【０００７】
プラグコネクタ１０４は、１つまたは複数の電力ケーブル１０６などを介して構成要素１１０に電気的に接続されるように構成される。例えば、プラグコネクタ１０４は、バッテリ、充電器、インバータ、電気モータ、または別のタイプの構成要素に電気的に接続され得る。ヘッダコネクタ１０２は、電力バスバー１０８（本明細書では電力バス１０８とも呼ぶ）などを介して構成要素１１２に電気的に接続されるように構成されるが、しかしながら、ヘッダコネクタ１０２は、端子、電力線、または他のコネクタなどの他の手段によって構成要素１１２に電気的に接続されてもよい。例えば、ヘッダコネクタ１０２は、バッテリ分配ユニット、手動サービスディスコネクト、充電器、インバータ、電気モータ、または別のタイプの構成要素などを介してバッテリパックに電気的に接続されてもよい。
バッテリ分配ユニットは、電流を測定しバッテリパックの電力分配を調整することなどによって電力コネクタシステム１００の電力容量および機能を管理することができる。
【０００８】
電力コネクタシステム１００は、コネクタ１０２とコネクタ１０４とが電力線に対して垂直な方向で嵌合する直角コネクタシステムである。オプションとして、プラグコネクタ１０４は、メンテナンス、修理、または別の理由などのために、バッテリパック、電気モータ、インバータ、または車両の他の構成要素などの構成要素のうちの１つまたは複数に関する高電力回路を切り離すようにヘッダコネクタ１０２に着脱自在に結合されてもよい。嵌合するとき、ヘッダコネクタ１０２の１つまたは複数のヘッダ端子１１４（図２）は、プラグコネクタ１０４の対応するプラグ端子１１６（図３に示す）にそれらの嵌合界面などで嵌合する。端子１１４および／または１１６の数がより多くなると、システム１００の電流搬送容量が増大する。オプションとして、各プラグ端子１１６は、対応する電力ケーブル１０６に終端されてもよい。
【０００９】
例示的な実施形態において、ヘッダコネクタ１０２および／またはプラグコネクタ１０４は、コネクタ１０２、１０４の開および閉または嵌合および嵌合解除の間、高電圧電力回路を制御するために高電圧インタロック（ＨＶＩＬ）回路を含むことができる。例えば、両方のコネクタ１０２、１０４は、対応するＨＶＩＬ端子を含むことができる。ＨＶＩＬ回路は、構成要素１１２および／または構成要素１１０に電気的に接続され得る。例示的な実施形態において、プラグコネクタ１０４は、レバー１１８を利用してコネクタ１０２、１０４と嵌合解除および／または嵌合し、それにより、コネクタ１０２、１０４の嵌合解除／嵌合の際に高電圧回路およびＨＶＩＬ回路を開／閉することができる。
端子１１６、１１４を開くかまたは嵌合解除する前に高電圧回路を遮断するために、嵌合解除の間にＨＶＩＬ回路を最初に開くことができ、それにより、アーク放電などからの損傷の可能性を低下させることができる。例示的な実施形態では、コネクタ１０２、１０４の高電圧導電面は、フィンガプルーフおよびタッチセーフである。
【００１０】
ヘッダコネクタ１０２は、嵌合端部１２２を有するヘッダハウジング１２０を含む。ヘッダハウジング１２０は、１つまたは複数のヘッダ端子１１４を保持する。オプションとして、ヘッダ端子１１４は、以下でさらに詳細に説明するように、プラグ端子１１６の両側で嵌合するようにソケットの両側にばねビームによって画定されたソケットを有するフォーク端子とすることができる。しかしながら、他のタイプのヘッダ端子が、代替実施形態では使用されてもよい。ヘッダ端子１１４は、ヘッダ端子１１４を保護するためにシュラウドで覆われてもよい。例えば、ヘッダ端子１１４は、ヘッダ端子１１４がタッチセーフとなるようにカバーまたはタッチガード１２４を有することができる。ヘッダハウジング１２０は、シャーシまたは他の支持構造体などの別の構成要素にヘッダハウジング１２０を装着するためのフランジ１２６を含む。
オプションとして、ヘッダハウジング１２０は水平に装着されてもよい。しかしながら、代替実施形態では他の配向が可能である。例示的な実施形態において、ヘッダハウジング１２０は、ヘッダコネクタ１０２とプラグコネクタ１０４との嵌合をガイドするためのガイド機構１２８を含む。例えば、ガイド機構１２８は、リブ、ポスト、スロット、キー機構、または他のタイプのガイド機構とすることができる。
【００１１】
プラグコネクタ１０４は、ヘッダハウジング１２０に結合するように構成されたプラグハウジング１３０を含む。プラグハウジング１３０は、嵌合端部１３２と、ケーブル端部１３４とを含む。電力ケーブル１０６は、ケーブル端部１３４から延びる。嵌合端部１３２は、ヘッダハウジング１２０の嵌合端部１２２に嵌合する。例示的な実施形態では、ハウジング１３０は、嵌合軸１３６に沿った嵌合方向に対して垂直に電力ケーブル１０６およびプラグ端子１１６（図３に示す）を保持する直角ハウジングである。電力ケーブル１０６は、嵌合軸１３６に対して直角である。代替実施形態では、他の配向が可能である。
【００１２】
例示的な実施形態では、レバー１１８は、ハウジング１３０に回転自在に結合される。レバー１１８は、プラグコネクタ１０４をヘッダコネクタ１０２に固定するために、ヘッダハウジング１２０、例えば対応するガイド機構１２８などに係合するように構成される。オプションとして、レバー１１８は、プラグコネクタ１０４をヘッダコネクタ１０２に嵌合および嵌合解除するのを制御するために、対応するガイド機構１２８を受け取るスロットを含むことができる。例えば、レバー１１８が回転されて閉じるとき、ハウジング１３０をヘッダハウジング１２０上に引き下ろすことができる。
逆に、レバー１１８が引き上げられるとき、ハウジング１３０は、ヘッダハウジング１２０から押し離され、ヘッダハウジング１２０から嵌合解除され得る。電力コネクタシステム１００の高電力回路およびＨＶＩＬ回路は、プラグコネクタ１０４がヘッダコネクタ１０２から嵌合解除されヘッダコネクタ１０２に嵌合するとき開かれ閉じられ得る。
【００１３】
図３は、プラグ端子１１６およびヘッダ端子１１４を示す電力コネクタシステム１００の一部分の斜視図である。図４は、プラグ端子１１６およびヘッダ端子１１４を示す電力コネクタシステム１００の一部分の斜視図である。ヘッダハウジング１２０およびプラグハウジング１３０は、プラグ端子１１６およびヘッダ端子１１４を示すために取り除かれている。
【００１４】
プラグ端子１１６は電力ケーブル１０６に終端する。例えば、プラグ端子１１６は、電力ケーブル１０６に溶接することができる。プラグ端子１１６は、代替実施形態では圧着などの他の手段で電力ケーブル１０６に終端されてもよい。図示の実施形態では、プラグ端子１１６は、タブまたはブレード部分を含むタブ端子である。プラグ端子１１６は、以下、タブ端子１１６と呼ぶ。各タブ端子１１６は、一般に、平面であり（少なくとも、タブまたはブレード部分に沿って）、嵌合端部２００とケーブル端部２０２との間を延びる。
【００１５】
タブ端子１１６は、タブ端子１１６の先端２１０とケーブル端部２０２との間を長手軸２０８に沿って延びる第１の側面２０４および第２の側面２０６を含む。タブ端子１１６は、タブ端子１１６の底部および上部にそれぞれ前縁部２１２および後縁部２１４を含む。前縁部２１２は、ヘッダ端子１１４のうちの１つまたは複数に差し込まれるタブ端子１１６の縁部である。
【００１６】
ヘッダ端子１１４は、タブ端子１１６に電気的に接続されるように構成される。例示的な実施形態では、ヘッダ端子１１４は、さらに、ヘッダコネクタ１０２の電力バス１０８（図２に示した）に電気的に接続される。しかしながら、代替実施形態では、ヘッダ端子１１４は、電力バス１０８と一体化されてもよい。図示の実施形態では、ヘッダ端子１１４は、両端フォーク端子であり、以下、フォーク端子１１４と呼ぶことがある。
【００１７】
ヘッダ端子１１４の各々は、積重ね構成で並べて配設された一連のコンタクト部材１６０を含む。各コンタクト部材１６０は、第１の嵌合端部２２２と第２の嵌合端部２２４との間に本体２２０を含む。コンタクト部材１６０は、各々、第１の嵌合端部２２２においてソケット２２８を画定する１対のばねビーム２２６と、第２の嵌合端部２２４においてソケット２３２を画定する１対のばねビーム２３０とを含む。コンタクト部材１６０が共に積み重ねられてヘッダ端子１１４を画定すると、コンタクト部材１６０のソケット２２８は、ヘッダ端子１１４内で整列して第１の嵌合端部２２２にタブソケット２３４を画定する。第１の嵌合端部２２２のタブソケット２３４は、タブ端子１１６の前縁部２１２を受け取るように構成される。
同様に、個々のコンタクト部材１６０のソケット２３２は、ヘッダ端子１１４内で整列して、対応する電力バス１０８の嵌合端部２３８を受け取るように構成された第２の嵌合端部２２４におけるバスバーソケット２３６を画定する。図示の実施形態において、各ヘッダ端子１１４のコンタクト部材１６０のばねビーム２２６は、第１の嵌合端部２２２で第１のフォークコンタクト２２３を画定し、コンタクト部材１６０のばねビーム２３０は、第２の嵌合端部２２４において第２のフォークコンタクト２２５を画定する。
【００１８】
ばねビーム２２６、２３０は、それぞれ、タブ端子１１６および電力バス１０８を受け取るために撓むことができる。嵌合すると、ばねビーム２２６、２３０は、それぞれ、タブ端子１１６および電力バス１０８に対してばね付勢される。ばねビーム２２６は、タブ端子１１６の第１の側面２０４および第２の側面２０６に係合するようにソケット２２８の両側に配列される。
【００１９】
例示的な実施形態では、各ばねビーム２２６は、ばねビーム２２６の遠位端でまたはその近くで嵌合界面２４０を画定する。嵌合界面２４０は、ばねビーム２２６の遠位端において隆起または突起によって画定することができる。例示的な実施形態では、共に積み重ねられた多数のばねビーム２２６によって画定された各フォークコンタクト２２３は、タブ端子１１６との多数の接点を含む。例えば、スタック内のばねビーム２２６の各嵌合界面２４０は、タブ端子１１６との異なる接点を画定する。各ヘッダ端子１１４に多数のコンタクト部材１６０を設けることにより、タブ端子１１６とヘッダコネクタ１０２との間に多数の接点がもたらされる。
【００２０】
各ヘッダ端子１１４の第２の嵌合端部２２４（例えば、電力バス嵌合側）のフォークコンタクト２２５は、電力バス１０８との多数の接点を備える。例えば、各ばねビーム２３０は、ばねビーム２３０の遠位端でまたはその近くで嵌合界面２４０を画定する。スタックにおける多数のばねビーム２３０の嵌合界面２４０は、電力バス１０８との異なる接点を画定する。各ヘッダ端子１１４に多数のコンタクト部材１６０を設けることにより、電力バス１０８とヘッダコネクタ１０２との間に多数の接点がもたらされる。各ヘッダ端子１１４のコンタクト部材１６０の数を増加させ、および／またはヘッダ端子１１４の数を増加させると、ヘッダコネクタ１０２の電流搬送容量の量が増加する。
【００２１】
オプションとして、単一のヘッダ端子１１４のフォークコンタクト２２３、２２５は同一とすることができ、タブ端子１１６はタブソケット２３４に差し込むように構成され、電力バス１０８はバスバーソケット２３６に差し込むように構成される。ヘッダ端子１１４は、容易に製造され組み立てられる。例えば、コンタクト部材１６０を打ち抜き形成することができ、任意の数のコンタクト部材１６０をヘッダ端子１１４の各々の内部に一緒に配列することができる。
【００２２】
図５は、例示的な実施形態によるプラグコネクタ１０４の底面斜視図である。図６は、プラグコネクタ１０４の断面図である。プラグハウジング１３０は、プラグ室１３８で多数のタブ端子１１６を保持する。プラグ室１３８は、タブ端子１１６を露出させるためにプラグハウジング１３０の底部１４０で開口している。ヘッダコネクタ１０２（図２に示した）の一部分は、底部１４０を介してプラグ室１３８に受け取られ得る。例えば、ヘッダ端子１１４（図２に示した）は、タブ端子１１６との電気接続のためにプラグ室１３８に受け取られ得る。プラグハウジング１３０は、タブ端子１１６を支持する端子支持壁１４２を含む。
【００２３】
例示的な実施形態では、プラグコネクタ１０４は、タブ端子１１６がタッチセーフとなるようにプラグカバーまたはタッチガード１４４を含む。例えば、プラグタッチガード１４４（本明細書では単にタッチガード１４４とも呼ぶ）は、タブ端子１１６の底部を横切って延びるブリッジまたはビームとすることができる。プラグタッチガード１４４は、プラスチックなどの誘電体から製作される。プラグタッチガード１４４は、間隙または空間を十分小さくしてタッチセーフとなるようにプラグハウジング１３０の一部分に対して位置決めされる。
【００２４】
例示的な実施形態では、プラグコネクタ１０４は、プラグコネクタ１０４を電気シールドするためのシールド１４６を含む。オプションとして、シールド１４６は、シールド１４６がプラグ室１３８および／またはタブ端子１１６を囲むようにプラグ室１３８に少なくとも部分的に位置決めされてもよい。シールド１４６は、電力ケーブル１０６の電気シールドに電気的に接続され得る。シールド１４６は、ヘッダコネクタ１０２に電気的に接続されるように構成されてもよい。オプションとして、プラグコネクタ１０４は、プラグ室１３８にまたはそのまわりにシール１４８を含んでもよい。シール１４８は、プラグコネクタ１０４とヘッダコネクタ１０２との間に周囲シールを設けるためにヘッダコネクタ１０２に係合することができる。
【００２５】
端子支持壁１４２は、タブ端子１１６を受け取る端子空洞１７０（図６）を画定する。端子空洞１７０の底部において、端子支持壁１４２はタブ端子１１６から離間される。例えば、対応する端子空洞１７０内の空間は、端子空洞１７０内で前縁部２１２の近くにあるタブ端子１１６の第１の側面２０４と第２の側面２０６の両方に沿って設けられる。タブ端子１１６の第１の側面２０４および第２の側面２０６は、プラグ室１３８の内部に、例えば端子空洞１７０などに露出される。端子空洞１７０は、タブ端子１１６の側面２０４および側面２０６に沿った空間にヘッダコネクタ１０２の一部分を受け取るように大きさを合わされる。例えば、ヘッダコネクタ１０２のヘッダ端子１１４は、端子空洞１７０に受け取られて、タブ端子１１６の第１の側面２０４および第２の側面２０６に係合することができる。
【００２６】
例示的な実施形態では、プラグタッチガード１４４は端子空洞１７０の底部に設けられている。例えば、プラグタッチガード１４４は、前縁部２１２の外に（例えば、下に）設けられる。オプションとして、プラグタッチガード１４４は端子支持壁１４２と一体化されてもよい。代替として、タッチガード１４４は、端子支持壁１４２とは別個の部片とし、端子空洞１７０に装着され、タッチガード１４４は端子支持壁１４２に結合されてもよい。タッチガード１４４は、端子支持壁１４２から間隔１７２だけ離間される。間隔１７２の幅は、プラグコネクタ１０４をタッチセーフにするために十分に狭い。例えば、間隔１７２は、テストプローブ１７４がタブ端子１１６に接触できないように十分狭くすることができる。このようにして、電源回路のいかなる部分もユーザが触れることができず、それにより、プラグコネクタ１０４はタッチセーフになる。
【００２７】
図示の実施形態では、プラグタッチガード１４４は、タブ端子１１６に沿って長手方向にタブ端子１１６の真下を延びる長手方向部材１７６を含む。長手方向部材１７６の長さに応じて、タッチガード１４４は、長手方向部材１７６を強化または支持するために１つまたは複数の横方向部材１７８を含むことができる。図示の実施形態では、横方向部材１７８は、長手方向部材１７６に対して垂直に延びる。横方向部材１７８は、長手方向部材１７６と端子支持壁１４２との間を延びる。横方向部材１７８は、長手方向部材１７６を強化および支持する。例えば、間隙１７２を変化させるのに十分なだけの距離にわたって長手方向部材１７６を横方向に押すことによって、プラグコネクタ１０４がタッチセーフテストに不合格となるようにすることはできない。
【００２８】
図７は、例示的な実施形態によるヘッダコネクタ１０２の斜視図である。図８は、ヘッダコネクタ１０２の断面図である。図９は、ヘッダコネクタ１０２の上面図である。ヘッダコネクタ１０２は、シャーシ１５０または他の支持構造体に装着されるように構成される。オプションとして、ヘッダコネクタ１０２は、シャーシ１５０に電気的に接地されてもよい。ヘッダハウジング１２０は、プラグコネクタ１０４（図２に示される）の一部分を受け取るように構成されたヘッダ室１５２を画定する。例えば、ヘッダ室１５２は、ヘッダハウジング１２０のシュラウド壁１５４で画定することができる。
【００２９】
ヘッダ端子１１４は、ヘッダハウジング１２０によって支持される。ヘッダ端子１１４は、端子支持壁１５６で保持することができる。端子支持壁１５６は、ヘッダコネクタ１０２をタッチセーフにするためにヘッダタッチガード１２４を画定することができる。例えば、端子支持壁１５６は、ヘッダ端子１１４の側面および／または端部に沿って設けることができる。
【００３０】
例示的な実施形態では、ヘッダ端子１１４は各々コンタクト部材１６０の積重ね構成によって画定される。オプションとして、ヘッダコネクタ１０２は多数のヘッダ端子１１４を含む。ヘッダ端子１１４は、異なる回路を規定することができ、または共通回路の一部とすることができる。例えば、同じタブ端子１１６に電気的に接続するように構成された２つのヘッダ端子１１４は、共通回路の一部とすることができ、異なるタブ端子１１６に嵌合するように構成されたヘッダ端子１１４は、異なる回路を規定することができる。オプションとして、多数のヘッダ端子１１４を設けると、ヘッダコネクタ１０２の電流搬送能力または容量が増加する。ヘッダコネクタ１０２は、図７では４つのヘッダ端子１１４を含んでいるが、他の実施形態では、より少ないまたはより多いヘッダ端子１１４を含むことができる。
【００３１】
例示的な実施形態では、ヘッダコネクタ１０２は、ヘッダハウジング１２０によって保持されたシールド１６２を含む。シールド１６２は、ヘッダ端子１１４を電気シールドする。シールド１６２は、ヘッダ室１５２に設けられ、ヘッダコネクタ１０２の底部まで延びて、シャーシ１５０と電気的に接続され得る。例えば、シールド１６２は、シャーシ１５０に接地することができる。
【００３２】
図８は、端子支持壁１５６によってヘッダハウジング１２０に保持されたヘッダ端子１１４を示す。端子支持壁１５６は、ヘッダ端子１１４（例えば、ヘッダ端子１１４の各々を画定するコンタクト部材１６０）を保持する端子空洞１８０を画定する。電力バス１０８は、端子空洞１８０の底部に延びて、ヘッダ端子１１４の底部嵌合端部に係合する。端子支持壁１５６は、各ヘッダ端子１１４の両側に沿ってヘッダ端子１１４の上部嵌合端部まで延びる。端子支持壁１５６は、ヘッダ端子１１４の側面に沿ってヘッダタッチガード１２４を画定する。ヘッダタッチガード１２４は、さらに、ヘッダ端子１１４の上面に沿って延びる。
【００３３】
ヘッダハウジング１２０は、端子空洞１８０にアクセスできるようにする上面開口１８２および側面開口１８４を画定する。ヘッダタッチガード１２４は、ヘッダ端子１１４に不注意に触れるのを防止するために上面開口１８２に設けられる。ヘッダタッチガード１２４は、ヘッダ端子１１４に不注意に触れるのを防止するために側面開口１８４に沿って側面に設けられる。上面開口１８２および側面開口１８４は、それぞれ、間隔１８６および間隔１８８を有する。オプションとして、間隔１８６、１８８は同じでもよい。しかしながら、間隔１８６、１８８は、代替実施形態では異なっていてもよい。間隔１８６、１８８は、テストプローブ１７４がヘッダ端子１１４に係合できないことを確実にするように十分に狭くし、それにより、ヘッダコネクタ１０２はタッチセーフになる。
【００３４】
図１０は、ヘッダ端子１１４（図８に示される）に結合するように用意された電力バス１０８を示すヘッダコネクタ１０２の底面斜視図である。端子空洞１８０は、電力バス１０８の嵌合端部２３８を受け取るために底部に開口していてもよい。
【００３５】
上述の説明は、例示のためのものであり、限定のためのものでないことを理解されたい。例えば、上述の実施形態（および／またはその態様）は互いに組み合わせて使用されてもよい。加えて、特定の状況または材料に適応させるために、本発明の範囲から逸脱することなく発明の教示に多くの変更を加えることができる。本明細書に記載された様々な構成要素の寸法、材料のタイプ、配向、ならびに様々な構成要素の数および位置は、いくつかの実施形態のパラメータを定義するためのものであり、決して限定ではなく、単なる例示的な実施形態である。特許請求の範囲の趣旨および範囲内の多くの他の実施形態および変更が、上述の説明を検討すると、当業者には明らかであろう。したがって、発明の範囲は、添付の特許請求の範囲を参照して決定されるべきである。
【図１】
2019523537.tif 000003
【図２】
2019523537.tif 000004
【図３】
2019523537.tif 000005
【図４】
2019523537.tif 000006
【図５】
2019523537.tif 000007
【図６】
2019523537.tif 000008
【図７】
2019523537.tif 000009
【図８】
2019523537.tif 000010
【図９】
2019523537.tif 000011
【図１０】
2019523537.tif 000012
【国際調査報告】
2019523537.tif 000013
2019523537.tif 000014